(57)【要約】      （修正有）【課題】男性用、女性用の性別的制約なく、かつ着用者の体格に制約されることもなく、尿パッドを正確かつ確実に身体へ当接させることができる尿パッド用丁字帯を提供する。【解決手段】長矩形状の木綿布の短縁に幅広（例えば幅３ｃｍ）の綿ゴムテープ２を縫着固定し、前記綿ゴムテープの一端部外側（肌に接触しない側）へ長い面ファスナー３を接着し、他の綿ゴムテープの端部へ、前記長い面ファスナーと掛止めする短い面ファスナー４を連結して丁字帯５とする。また防水紙上へ吸水紙を積層し、吸水紙の上面へ透水保形紙を一体的に取り付けて尿パッド１０を構成する。前記吸水紙の長手方向縁に立ち上がり片を対向して設ける。前記丁字帯５の布片の内側に尿パッド１０を当接し、そのまま丁字帯を身体へ取り付ければ、尿パッドを人体へ容易かつ正確に装着させることができる。【選択図】図１
0003156528.tif 000002
【実用新案登録請求の範囲】
【請求項１】
尿パッド保持用の矩形布片の短縁の両端にゴムテープを夫々連結し、前記各ゴムテープの両端に掛止具を夫々設けたことを特徴とする尿パッド用丁字帯。
【請求項２】
尿パッド保持用の矩形布片の短縁の両端に布ゴムテープを夫々連結し、前記布ゴムテープの両端に長短二枚の面ファスナーを夫々連結し、前記長い面ファスナーの裏面材は、前記布ゴムテープと同質としたことを特徴とする尿パッド用丁字帯。
【請求項３】
尿パッド保持用の矩形布片の短縁の両端に布ゴムテープを夫々連結し、前記布ゴムテープの一端部外側面へ長い面ファスナーを設けると共に、他端へ短い面ファスナーを連結したことを特徴とする尿パッド用丁字帯。
【請求項４】
請求項１，２，３の何れか１つ記載の丁字帯の矩形布片の上下部に、尿パッドの押さえ材を設けたことを特徴とする尿パッド用丁字帯。
【請求項５】
請求項１，２，３，４の何れか１つ記載の丁字帯と、尿吸収用の尿パッドとを組み合わせたことを特徴とする装着用受尿具。
【請求項６】
請求項１，２，３，４の何れか１つ記載の丁字帯と、尿吸収材を収容し、かつ尿洩れ防止用の当接片を付設した尿パッドとを組み合わせたことを特徴とする装着用受尿具。
【請求項７】
請求項１，２，３の何れか１つ記載の丁字帯と、尿吸収材を収容し、かつ尿洩れ防止用の当接片を付設した尿パッドと、前記丁字帯及び尿吸収材に固定して用いるずれ止め防止材とを組み合わせたことを特徴とする装着用受尿具。
【請求項８】
ずれ止め防止材は、丁字帯及び尿吸収材に着脱自在に取付ける面ファスナーとしたことを特徴する請求項７記載の装着用受尿具。
【考案の詳細な説明】
【技術分野】
【０００１】
この考案は、排尿を吸収保持する尿パッドを人の身体に装着する尿パッド用丁字帯及び前記尿パッドと丁字帯を組み合わせた装着用受尿具に関するものである。
【背景技術】
【０００２】
従来患者の排尿を、排尿の都度又は複数回の排尿を吸尿保持する尿パッドが提案されており、実用化されている。前記尿パッドの大多数は、尿パッドを身体に付着（取付け）させておく為に、パンツ、おむつ又は装着具が実用化されている。前記尿パッドは取り換え毎に新品を用いるが、パンツ又は装着具は再使用可能のものが多い。
【０００３】
また装着者が排尿を自覚できる場合（主として昼間）には、１回の排尿毎に、尿パッドを取り換えることができるので、失敗は少ないが、夜間（主として就寝時）には二回〜四回排尿してもそのまま装着されているので、尿パッドの能力を越える量の排尿があったり、能力に近接した量の排尿があると尿パッドを保持するパンツ、おむつ又は装着具の良否により、尿が尿パッド外に洩れるおそれがあり、敷布その他を汚損するおそれがあった。
【先行技術文献】
【特許文献】
【０００４】
【特許文献１】実用新案登録第１４６０４９号公報
【特許文献２】特開２００６−１１６１４１号公報
【特許文献３】特許第４２３３０５７号公報
【考案の概要】
【考案が解決しようとする課題】
【０００５】
従来尿パッド（又はその類似物）を人に装着するには、おむつ、パンツ、ポケット付きの褌などが知られているが、人体との当接は男性器挿入口の弾性部材に依存したもの（特許文献１）、又はおむつ本体内に尿パッドを収容するようにした発明も提案されている（特許文献２）。更にコンドーム型の受尿器を用いる提案もある（特許文献３）。
【０００６】
従来知られている特許文献１，３は男性用であって、女性が使用し得ないのみならず、身体と尿パッドとの当接力の強弱があって、当接力を適切に保っておくことが難しく、かつ当接力の強弱を調節できないなどの問題点がある（特許文献１）。
【０００７】
またおむつ方式（特許文献２）の場合は、局部のみならず、腰の外囲まで覆うので、装着拒否を生じたり、着用者の体格によっては局部的圧迫感を生じて着用者に不快感を与えるなどの問題点があった。
【課題を解決するための手段】
【０００８】
この考案は、男性用、女性用の性別的制約なく、かつ着用者の体格に制約されることもなく、尿パッドを正確かつ確実に身体へ当接させることができる尿パッド用丁字帯を提案するものである。
【０００９】
この考案の尿パッド用丁字帯は、適度の長さの矩形綿布片の短縁の左右に幅広い布ゴムテープ（例えば幅２ｃｍ〜３ｃｍ）を連結し、前記布ゴムテープの両端に、長短二枚の面ファスナーを連結した丁字帯により、尿パッドを的確に押さえることができ、前記従来の問題点を解決したのである。
【００１０】
通常尿パッドは、パンツタイプの下着の中にセットして用いるが、就寝中に尿パッドがずれて尿洩れを生じるおそれがあった。この考案の丁字帯は、幅広いゴムテープが丁字帯をしっかり押さえ込み、尿パッドをしっかり固定するので、尿パッドのずれがなく安心して就寝することができる。また丁字帯は、パンツのように腰部を包み込まないので、装着感も良好であり、かつ両股の内側にあるので、ずれも生じにくくなっている。
【００１１】
即ち、この考案は、尿パッド保持用の矩形布片の短縁の左右両側に布ゴムテープを夫々連結し、前記各布ゴムテープの両端に掛止具を夫々設けたことを特徴とする尿パッド用丁字帯であり、尿パッド保持用の矩形布片の短縁の両端に布ゴムテープを夫々連結し、前記布ゴムテープの両端に長短二枚の面ファスナーを夫々連結し、前記長い面ファスナーの裏面材は、前記布ゴムテープと同質としたことを特徴とする尿パッド用丁字帯である。
【００１２】
また他の考案は、尿パッド保持用の矩形布片の短縁の左右両側に布ゴムテープを夫々連結し、前記布ゴムテープの一方の一端部外側面へ長い面ファスナーを接着すると共に、他方のゴムテープの一端へ短い面ファスナーを連結したことを特徴とする尿パッド用丁字帯である。
【００１３】
更に他の考案は、請求項１，２，３の何れか１つの丁字帯と、尿吸収用の尿パッドとを組み合わせたことを特徴とする装着用受尿具であり、また請求項１，２，３の何れか１つの丁字帯と、尿吸収材を収容し、かつ尿洩れ防止用の当接片を付設した尿パッドとを組み合わせたことを特徴とする装着用受尿具である。
【００１４】
次に他の考案は、請求項１，２，３の何れか１つの丁字帯と、尿吸収材を収容し、かつ尿洩れ防止用の当接片を付設した尿パッドと、前記丁字帯と、尿吸収材とのずれ止め防止材とを組み合わせたことを特徴とする装着用受尿具である。
【００１５】
またずれ止め防止材は、丁字帯及び尿吸収材に着脱自在の面ファスナー材としたことを特徴する請求項７記載の装着用受尿具としたものである。
【００１６】
前記のように、この考案は尿パッド用丁字帯を用いるので、男性、女性の区別及び体格の大小、肥満か否かに関係なく、かつ使用当初の体格と、その後の体格に変化があっても同一丁字帯を使用し得ると共に、洗濯することによって、何回でも繰り返し使用することができるなどの特質がある。
【考案の効果】
【００１７】
この考案の尿パッド用丁字帯は、同一寸法又は二三種の異なる寸法の丁字帯で、男性、女性に拘わらず、体格の大小に拘わらず、同一丁字帯で尿パッドを確実に装着保持させることができると共に、簡単に取り付け、取り外しができる効果がある。また丁字帯が汚損した場合には、洗濯することにより新品同様に使用し得ると共に、主要部材は布片と布ゴムテープであるから、装着により「おむつ」を着けたような感覚を生じない効果がある。また腰囲の大小による調節は、面ファスナーの位置の移動で簡単にできると共に、面ファスナーであるからずれを生じるおそれがなく、力の掛かる方向もゴムテープの長手方向であって、無理な力を生じないなどの効果もある。
【００１８】
またずれ止め防止材を用いた場合には、丁字帯と尿パッドの位置が定位置に固定され、使用中（身体を動かした場合）に尿パッドがずれるおそれがないなどの効果がある。前記テープは、幅広い（例えば幅２ｃｍ〜３ｃｍ）と共に、ゴム入りであるから、腰の回りに確実に固定できる効果もある。
【００１９】
また尿パッドをつけなければ、そのままパンツ代用（いわゆる褌）の役目をはたすことができる効果もある。
【００２０】
次に尿パッドが尿を吸収して重くなると、図５のように、布の中央部が垂れて、布片の長縁が互いに近接する方向（図５中Ｗ１＞Ｗ２）へ力が働き、布片の長縁を肌に接触させる側へ力が働き、尿パッドを包み込み尿洩れを防止する効果がある。
【００２１】
また装着時に、図５（ｂ）のように装着すれば肌と丁字帯との長縁とが確実に当接し、就寝中も安心して熟睡ができる効果もある。前記のように、丁字帯の長縁が肌にフィットすることは尿洩れ防止の実用的効果と、安心して就寝できる心理的効果がある。
【図面の簡単な説明】
【００２２】
【図１】（ａ）この考案の丁字帯の実施例の一部を省略した平面図、（ｂ）同じく装着状態の説明図、（ｃ）面ファスナーの説明図。
【図２】（ａ）この考案の尿パッドの実施例の平面図、（ｂ）同じくずれ止め防止材の断面拡大図、（ｃ）同じく一部を省略した平面図。
【図３】（ａ）同じく図２（ａ）中Ａ−Ａ断面拡大図、（ｂ）同じくＢ−Ｂ断面拡大図、（ｃ）同じくＣ−Ｃ断面拡大図。
【図４】（ａ）同じく装着開始時の背面図、（ｂ）同じく正面図、（ｃ）同じく装着完了した正面図。
【図５】（ａ）同じく尿パッドと丁字帯との関係を示す一部断面斜視図、（ｂ）同じく尿パッドが重くなった場合の一部断面斜視図。
【図６】同じく丁字帯の実施例の一部を省略した平面図。
【考案を実施するための形態】
【００２３】
長矩形状の木綿布の短縁に幅広（例えば幅３ｃｍ）の綿ゴムテープを縫着固定し、前記綿ゴムテープの一端部外側（肌に接触しない側）へ長い面ファスナーを接着し、他の綿ゴムテープの端部へ、前記長い面ファスナーと掛止めする短い面ファスナーを連結して丁字帯とする。
【００２４】
また防水紙上へ吸水紙を積層し、吸水紙の上面へ透水保形紙を一体的に取り付けて尿パッドを構成する。前記吸水紙の長手方向縁に立ち上がり片を対向して設ける。前記丁字帯の布片の内側に尿パッドを当接し、そのまま丁字帯を身体へ取り付ければ、尿パッドを人体へ容易かつ正確に装着させることができる。
【実施例１】
【００２５】
この考案の実施例を図１，２，３に基づいて説明する。
【００２６】
長さ１００ｃｍ、幅３５ｃｍの矩形の木綿布１の短縁１ａの両端へ、幅広（例えば３ｃｍ）の綿ゴムテープ２，２を夫々連結し、前記一方の綿ゴムテープ２の一端外側２ａに面ファスナー３を設ける。面ファスナー３は、例えば既製の面ファスナーを接着固定して設ける。この面ファスナー３の係止側は、例えば多数の微小フック３ａが植設されたものとする。前記他方の綿ゴムテープ２の他端部に、短い面ファスナー４を連結し、丁字帯５を完成する。この面ファスナー４もゴムテープの側面へ接着することもできる。この面ファスナー４は、例えば微小ループ４ａが密設されており、微小ループ４ａへ前記面ファスナー３の前記微小フック３ａが掛止してファスナーを係止するようにしてあるが、面ファスナーの構造に限定はない。
【００２７】
前記実施例において丁字帯５は、綿ゴムテープ２を身体６に装着し、木綿布１の先端部１ｂを綿ゴムテープ２に掛けて半転すれば（図１−（ｂ））、堅固に装着することができる。図中１０は尿パッドである。
【００２８】
次に図２，３において、防水紙７上へ多数の吸水紙を積層した積層紙８（他の吸水材でもよい）を載せ、積層紙８上へ透水性の覆紙９を重ねて固定し、尿パッド１０とする。図中１１，１１は覆紙９上へ、所定間隔で突設した封止片であって、尿パッド１０の表面と、身体との間を封塞している。前記尿パッド１０は、従来使用されていた物であれば何れも使用することができる。
【００２９】
前記覆紙９は、一方向透水性（例えば矢示１２の方向へ尿を通過させるが、逆流しないような材質が好ましい）である。
【００３０】
この考案の尿パッド１０を身体６に装着するには、図４−（ａ）のように、丁字帯５の自由端を垂れた状態から丁字帯を前に持ち上げて、尿パッドを身体に当接し、丁字帯の端縁側を綿ゴムテープ２の前記内側へ通し、残余の丁字帯端を前に垂らせば容易に装着できる。この場合に、面ファスナー３，４を左右して綿ゴムテープ２の締め具合を調節する。
【００３１】
前記実施例においては、綿ゴムテープを用いたが、幅広いゴムテープならば材質にこだわらない。但し、肌に直接かつ長時間接触するので、肌にやさしい材質とする必要がある。また前記綿ゴムテープは、木綿布の短縁に平行して固定してもよい。この場合に木綿布は伸縮しないので、実質的効果はない。但し、肌に接触するテープが連続しているか、木綿布を介してその左右にテープが連続されたいるかの相違がある。
【００３２】
前記実施例は、綿ゴムテープの両端に面ファスナー３，４を夫々連結して（又は設ける）、綿ゴムテープを適度の緊張度にして身体へ装着したが、要は綿ゴムテープの長さの調節であるから、ボタンとそのボタン孔、又はスナップの掛止方式にしても使用することができる。然しながら前記実施例のように、面ファスナーを用いた方が無段階調節できるので、優れている。
【実施例２】
【００３３】
この考案のずれ止め防止材１７は、図２（ｂ）、（ｃ）のように、面ファスナー１３，１４の外側に接着剤層１５，１５を設け、接着剤層１５，１５の外側に剥離紙１６，１６を被着したものである。そこで剥離紙１６，１６を剥がし、面ファスナー１３を丁字帯の適所に接着し、面ファスナー１４を尿パッド１０の適所に貼着する。
【００３４】
前記において、丁字帯５へ尿パッド１０を添着する際に、前記面ファスナー１３，１４を当接固定すれば、丁字帯の適所へ尿パッド１０を設置固定することができるので、尿パッド１０が使用中にずれるおそれがない。
【００３５】
前記ずれ止め防止材１７の実施例は、面ファスナーについて説明したが、両面に接着剤層を設けた両面テープにセパレーター（剥離紙）を被着したテープでも同一作用効果を奏する。
【実施例３】
【００３６】
この考案の丁字帯の他の実施例を図６に基づいて説明する。
【００３７】
長さ１００ｃｍ、幅３５ｃｍの矩形の木綿布１の短縁１ａの両端へ、幅広の布ゴムテープ２，２を夫々連結し、前記布ゴムテープ２，２の夫々の外端へ面ファスナー（図示省略）を設ける。前記木綿布１の内側（肌に当たる側）の上下に、押さえ材１８，１８（例えばナイロンメッシュ）の両端を固定したものである。前記押さえ材は、尿パッドを挟み込むもので、使用時におけるずれ止め防止用であり、押さえ材としてメッシュを用いれば網目（例えば５ｍｍ〜１５ｍｍ）の大小、幅の大小は適宜設ける。但し、押さえ材を設ける位置は尿パッドの長さにより異なるが、木綿布１の上端から１５ｃｍ（Ｌ１）、下端から４０ｃｍ（Ｌ２）とし、上下押さえ材の間隔は３０ｃｍ〜３５ｃｍ（Ｌ３）とする。
【００３８】
前記実施例の場合には、丁字帯と尿パッドとをセットにし、装着用受尿具として取り扱うのが好ましい。前記において、尿パッドの補充は、前記装着用受尿具の補充尿パッドとして取り扱えば、丁字帯との関係で支障を生じるおそれはない。
【符号の説明】
【００３９】
１  木綿布
２  綿ゴムテープ
３  面ファスナー
４  面ファスナー
５  丁字帯
６  身体
７  防水紙
８  積層紙
９  覆紙
１０  尿パッド
１１  封止片
１３  面ファスナー
１４  面ファスナー
１５  接着剤層
１６  剥離紙
１７  ずれ止め防止材
１８  押さえ材
【図１】
0003156528.tif 000003
【図２】
0003156528.tif 000004
【図３】
0003156528.tif 000005
【図４】
0003156528.tif 000006
【図５】
0003156528.tif 000007
【図６】
0003156528.tif 000008